(57)【要約】【課題】  ガラスユニットを押さえ付けても隙間が生じないようにしてピアノ線等を挿入して行われる不正行為を確実に防ぐことを目的とする。【解決手段】  合成樹脂射出成型品からなる透明板保持枠Ｄを閉じたときに、ガラスユニットGUを構成する合成樹脂射出成型品の枠部材50の前面が透明板保持枠Ｄの前側板11の裏面に対して窓開口81の周囲を周方向に連続して当接すると共に、枠部材50の裏面が遊技盤Ｃに取り付けられた合成樹脂射出成型品のコーナー飾り40の前面に対して当接した状態となるように構成する。【選択図】  図３
2005296347.tif 000002
【特許請求の範囲】
【請求項１】
（ａ）  遊技盤と、
（ｂ）  前記遊技盤を保持する遊技盤保持枠と、
（ｃ）  前記遊技盤の前方を覆うための透明板を枠部材によってその周囲を全周に渡って取り囲む様に一体化した透明板ユニットと、
（ｄ１）  前記遊技盤保持枠に対して開閉可能に取り付けられ、前記遊技盤の遊技領域を前方から視認可能な窓開口を有すると共に、前記透明板ユニットを、前記窓開口の裏側に位置する様に保持する透明板保持枠と
を備えると共に、さらに以下の構成をも備えることを特徴とする遊技機。
（ｅ１）  前記透明板ユニットが、前記遊技盤保持枠に対して前記透明板保持枠を閉じたときに、該透明板ユニットの前面が前記透明板保持枠の裏面に対して前記窓開口の周囲を周方向に連続して当接すると共に、該透明板ユニットの裏面が前記遊技盤の前面に対して当接した状態となるように構成されていること。
【請求項２】
（ａ）  遊技盤と、
（ｂ）  前記遊技盤を保持する遊技盤保持枠と、
（ｃ）  前記遊技盤の前方を覆うための透明板を枠部材によってその外周を全周に渡って取り囲む様に一体化した透明板ユニットと、
（ｄ２）  前記遊技盤保持枠に対して開閉可能に取り付けられ、前記遊技盤の遊技領域を前方から視認可能な窓開口を有すると共に、前記透明板ユニットを、前記窓開口の裏側に位置し、かつその前面を前記透明板保持枠の裏面に対して前記窓開口の周囲を周方向に連続して当接させた状態で保持する透明板保持枠と
を備えると共に、さらに以下の構成をも備えることを特徴とする遊技機。
（ｅ２）  前記透明板ユニットが、前記透明板保持枠を閉じたときに、その裏面が前記遊技盤の前面に対して当接した状態となるように構成されていること。
【請求項３】
さらに以下の構成をも備えることを特徴とする請求項１又は２記載の遊技機。
（ｆ）  前記透明板ユニットの裏面と前記遊技盤の前面との当接は、前記透明板の裏面より裏側に突出する様に前記枠部材に形成された突出部によりなされていること。
【請求項４】
さらに以下の構成をも備えることを特徴とする請求項１〜３のいずれか記載の遊技機。
（ｇ）  前記透明板ユニットの前面と前記透明板保持枠の裏面との前記連続的な当接は、前記透明板の表面より表側に突出する様に前記枠部材に形成された突出部によりなされていること。
【請求項５】
さらに以下の構成をも有していることを特徴とする請求項１又は２記載の遊技機。
（ｈ）  前記枠部材が、前記透明板を嵌合させるための溝を枠の内側に刻設された断面形状の枠体として構成されていること。
（ｉ）  前記枠部材が、前記透明板保持枠を閉じたときに、前記溝の外側の部分で前記透明板保持枠の裏面及び前記遊技盤の前面に対して連続して当接した状態となるように構成されていること。
【発明の詳細な説明】
【技術分野】
【０００１】
本発明は、例えばパチンコ機、アレンジボール機、雀球機、メダルを用いたスロットマシン、球を用いたスロットマシン等の遊技機に関する。
【背景技術】
【０００２】
一般に、遊技機には、遊技盤を保持する遊技盤保持枠に対して、ガラス板を備えたガラス保持枠が開閉可能に組み付けられている。このガラス板は、前後２枚の構成とされ、後側のガラス板と遊技盤とによって形成される空間により遊技領域が確保されている。なお、前側のガラス板は、後側のガラス板を保護するようになっている。
【０００３】
従来、これら前後２枚のガラス板は、ガラス保持枠に取り付けられた金属製のガラス枠に１枚ずつ上方又は側方から挿入して取り付けていたため、組立の際に作業性が悪い等の問題があった。この問題を解決するため、最近では、２枚のガラス板を合成樹脂製の枠部材に予め組み付けて一体化したガラスユニットとして取り扱われるようになった。
【０００４】
このガラスユニットは、その前面をガラス保持枠の裏面に対面させた状態で、固定手段によって固定することにより、ガラス保持枠に保持されるように構成されている。このとき、ガラスユニットの前面とガラス保持枠の裏面との間に隙間があった場合、その隙間からピアノ線やプラスチック板などの器具を挿し込まれて、不正が行われる恐れがあった。
【０００５】
そこで、特許文献１では、ガラスフレームの外周に沿って、前側のガラスよりもガラス保持枠側へ突出するリブを設けることにより、ガラスユニットとガラス保持枠との間に隙間が生じないように対策することを提案している。
【特許文献１】特開２００３−１３５７８８号公報（要約、代表図）
【発明の開示】
【発明が解決しようとする課題】
【０００６】
しかしながら、特許文献１のガラスユニットであっても、ガラスユニットを遊技盤側に押さえ付けた場合は、ガラスユニットが遊技盤側に押し込まれたり反ったりして、ガラス保持枠との間に隙間が生じてしまうという問題があった。
【０００７】
そこで、本願は、ガラスユニットを押さえ付けた場合でも、ガラス保持枠との間に隙間が生じないようにし、より確実に不正行為を防ぐことを目的とする。
【課題を解決するための手段】
【０００８】
上記目的を達成するためになされた本発明の遊技機は、
（ａ）  遊技盤と、
（ｂ）  前記遊技盤を保持する遊技盤保持枠と、
（ｃ）  前記遊技盤の前方を覆うための透明板を枠部材によってその周囲を全周に渡って取り囲む様に一体化した透明板ユニットと、
（ｄ１）  前記遊技盤保持枠に対して開閉可能に取り付けられ、前記遊技盤の遊技領域を前方から視認可能な窓開口を有すると共に、前記透明板ユニットを、前記窓開口の裏側に位置する様に保持する透明板保持枠と
を備えると共に、さらに以下の構成をも備えることを特徴とする遊技機。
（ｅ１）  前記透明板ユニットが、前記遊技盤保持枠に対して前記透明板保持枠を閉じたときに、該透明板ユニットの前面が前記透明板保持枠の裏面に対して前記窓開口の周囲を周方向に連続して当接すると共に、該透明板ユニットの裏面が前記遊技盤の前面に対して当接した状態となるように構成されていること。
【０００９】
かかる構成を備えた本発明の遊技機によれば、透明板保持枠を閉じることで、透明板保持枠の裏面に透明板ユニットの前面を当接させると共に、透明板ユニットの裏面を遊技盤の前面に当接させることができる。このとき、透明板ユニットの前面が透明板保持枠の裏面に対して窓開口の周囲を周方向に連続して当接した構成なので、透明板ユニットの前面側には隙間がない。この状態で、透明板ユニットと透明板保持枠との間に隙間を生じさせるべく透明板ユニットを遊技盤側に押さえ付けたとしても、透明板ユニットの裏面が遊技盤に当接しているので、透明板ユニットが押し込まれることがなく、透明板ユニットと透明板保持枠との間に隙間が生じない。よって、ピアノ線等を用いた不正行為を防ぐことができる。
【００１０】
また、上記目的を達成するためになされた本発明の遊技機は、
（ａ）  遊技盤と、
（ｂ）  前記遊技盤を保持する遊技盤保持枠と、
（ｃ）  前記遊技盤の前方を覆うための透明板を枠部材によってその外周を全周に渡って取り囲む様に一体化した透明板ユニットと、
（ｄ２）  前記遊技盤保持枠に対して開閉可能に取り付けられ、前記遊技盤の遊技領域を前方から視認可能な窓開口を有すると共に、前記透明板ユニットを、前記窓開口の裏側に位置し、かつその前面を前記透明板保持枠の裏面に対して前記窓開口の周囲を周方向に連続して当接させた状態で保持する透明板保持枠と
を備えると共に、さらに以下の構成をも備えることを特徴とする遊技機。
（ｅ２）  前記透明板ユニットが、前記透明板保持枠を閉じたときに、その裏面が前記遊技盤の前面に対して当接した状態となるように構成されていること。
【００１１】
かかる構成を備えた本発明の遊技機によれば、透明板保持枠を閉じることで透明板ユニットの裏面を遊技盤の前面に当接させることができる。この遊技機では、透明板ユニットの前面は、透明板保持枠の裏面に対して窓開口の周囲を周方向に連続して当接した状態で保持されている。また、透明板ユニットの裏側は遊技盤と当接しているので、後方移動できない。よって、不正行為を意図する何者かが透明板ユニットを遊技盤側に押さえ付けたとしても、透明板ユニットの移動による隙間の発生を防止することができる。従って、かかる構成の遊技機によっても、ピアノ線等を用いた不正行為を防ぐことができる。
【００１２】
なお、（ａ）〜（ｃ）に加えて（ｄ１）及び（ｅ１）を備える遊技機と、（ｄ２）及び（ｅ２）を備える遊技機とは、透明板保持枠を閉じた状態を見れば、同じ状態となる。
【００１３】
また、上述した各発明において、「遊技盤」とは、遊技盤を構成する合板のみを指すのではなく、合板に、障害釘、始動入賞口、図柄可変表示装置、大型装飾部品、特別入賞口、案内車、電飾装置、アウト口、普通入賞口、通過口、コーナー飾り等の部品が突設された状態のものを意味する。よって、透明板ユニットの裏面は、例えば、コーナー飾りに当接した状態となればよい。この場合、コーナー飾りを介して遊技盤を構成する合板の表面に当接しているということもできるので、「遊技盤」を「遊技盤を構成する合板」と読み替え、「当接」を、「直接的又は間接的に当接」と読み替えて解釈しても構わない。なお、本発明を実現するに当たっては、このコーナー飾りの前面に透明板ユニットの裏面を当接させる構成とするとよい。それは、コーナー飾りは遊技領域の周囲をぐるりと取り囲む様に合板に突設されるので、コーナー飾りの前面に透明板ユニットの裏面を当接させる様に構成すれば、透明板ユニットと遊技盤とを遊技領域を取り囲む様に周方向に連続して当接させることが容易となるので、押し込みによる透明板ユニットの移動防止だけでなく、押し込み時の透明板ユニットの反りを容易に防止することができ、より一層の不正防止効果が期待できるからである。
【００１４】
この様に（ａ）〜（ｃ）に加えて、（ｄ１），（ｅ１）又は（ｄ２）、（ｅ２）を備えた本発明の遊技機は、さらに以下の構成をも備える様にすることができる。
（ｆ）  前記透明板ユニットの裏面と前記遊技盤の前面との当接は、前記透明板の裏面より裏側に突出する様に前記枠部材に形成された突出部によりなされていること。
【００１５】
この（ｆ）の構成をも備えた遊技機によれば、透明板ユニットの枠部材に突出部を設けたことにより、透明板保持枠を閉じた際に、透明板ではなく、枠部材の突出部が遊技盤に当接するので、透明板が傷付いたりすることがない。枠部材によって透明板ユニットと遊技盤との当接を実現することの他の利点は、特に、枠部材を合成樹脂で形成した場合を考えると、枠部材の圧縮変形能力を利用して密着性の高い当接状態を実現することができるという点をあげることができる。また、枠部材を合成樹脂製で（ｆ）の要件を満たす様な突出部を備えるものとしたときのメリットとして、透明板保持枠、透明板ユニット及び遊技盤の夫々の組み付けに多少誤差があったとしても圧縮変形により高い密着性を実現可能であるから、この様な誤差を許容することができるという点をあげることもできる。
【００１６】
ここで、この突出部は、枠部材の周方向に連続している必要はなく、例えば、半円球状のものを複数個突設したものとしても構わない。本発明においては、透明板保持枠を閉じた状態のときには、透明板保持枠裏面と透明板ユニット前面が、遊技領域を臨ませる窓開口の周囲を取り巻く様に連続して当接しているので、そもそもの隙間がなく、突出部による後方移動防止によって押し込みによる透明板ユニットの後方移動が生じないという本発明の遊技機の達成すべき作用・効果を十分に実現できるからである。もちろん、枠部材の裏面側の突出部は、周方向に連続している方がよりよい。それは、突出部が不連続で間隔が広い場合には、透明板ユニット自体の後方移動を防止できても、押し方によっては突出部間で透明板ユニットが反る可能性があるのに対し、連続した突出部ではこの様な反りの問題もないからである。
【００１７】
なお、（ａ）〜（ｃ）に加えて、（ｄ１），（ｅ１）又は（ｄ２）、（ｅ２）を備えた本発明の遊技機は、さらに以下の構成をも備える様にすることができる。
（ｆ’）  前記遊技盤に、前記透明板保持枠を閉じたときに前記透明板ユニットの裏面に当接する高さの突出部を有していること。
【００１８】
枠部材側の突出部によらなくても、遊技盤側に突出部を設けて上述したのと同様の作用を発揮させることもできるからである。
【００１９】
また、（ａ）〜（ｃ）に加えて、（ｄ１），（ｅ１）又は（ｄ２）、（ｅ２）を備えた本発明の遊技機は、さらに以下の構成をも備える様にすることができる。
（ｇ）  前記透明板ユニットの前面と前記透明板保持枠の裏面との前記連続的な当接は、前記透明板の表面より表側に突出する様に前記枠部材に形成された突出部によりなされていること。
【００２０】
この（ｇ）の構成を備えさせることにより、透明板保持枠と透明板ユニットとの当接部分は、透明板ユニット表面よりも飛び出した状態となるので、透明板ユニットの表面に沿わせてピアノ線等を挿入しようとしたときに突出部が障壁となるからである。また、（ｇ）の構成により、透明板が透明板保持枠に直接当たらないので、透明板に傷が付かないという利点もある。
【００２１】
また、（ａ）〜（ｃ）に加えて、（ｄ１），（ｅ１）又は（ｄ２）、（ｅ２）を備えた本発明の遊技機は、さらに以下の構成をも備える様にすることができる。
（ｈ）  前記枠部材が、前記透明板を嵌合させるための溝を枠の内側に刻設された断面形状の枠体として構成されていること。
（ｉ）  前記枠部材が、前記透明板保持枠を閉じたときに、前記溝の外側の部分で前記透明板保持枠の裏面及び前記遊技盤の前面に対して連続して当接した状態となるように構成されていること。
【００２２】
この様に、（ｈ）及び（ｉ）を備え、透明板を表裏から把持する形で枠部材に保持させる構成とすれば、枠部材は前面にも裏面にも閉領域を形成する突出部を備えることとなり、しかも、透明板ユニットの縁は枠部材に嵌合しているから透明板自体の変形を阻止し、押し込み力を受けたときに透明板ユニットが後方へ移動しないだけでなく、反ることすらなく、より一層の不正防止効果を期待することができる。なお、この（ｈ）及び（ｉ）の構成は、例えば、透明板が１枚のユニットでは、断面コ字状の枠部材により実現することができる。また、透明板が２枚のユニットなら断面Ｅ字状との枠部材により実現することができる。そして、（ｈ）及び（ｉ）の構成を採用することで、透明板ユニットの前面側については透明板の表面に沿って侵入しようとするピアノ線等に対する障壁を形成し、押圧力を加えて透明板ユニットを後方移動若しくは反らせようとする不正行為に対しては、移動防止及び反り防止の作用・効果を発揮することができる。そして、透明板ユニットにおいて、透明板の板面が直接的に透明板保持枠および遊技盤に当接しないため、透明板を保護するという作用・効果もある。また、各透明板が溝に挟み込まれた構成となるので、透明板をより安定して保持することができる。
【００２３】
この（ｈ）及び（ｉ）をも備えた本発明の遊技機は、さらに以下の構成をも有しているものとしてもよい。
（ｊ）  前記枠部材が、２以上の部品に分割され、これらの部品を前記透明板のエッジ側からはめ込むことによって組み立てられる組み立て構造体として構成されていること。
【００２４】
この（ｊ）をも備えさせるとよいのは、上述の様に、透明板を溝に嵌り込んだ状態の透明板ユニットを組み立てによって製造するのに有利だからである。
【００２５】
この（ｊ）をも備えた本発明の遊技機は、さらに以下の構成をも有しているものとしてもよい。
（ｋ）  前記枠部材を構成する部品が、枠の上側の部分と、枠の下側の部分と、枠の左側の部分と、枠の右側の部分とから構成されていること。
【００２６】
この様に、（ｊ）をそれに止まらずにさらに（ｋ）まで発展させた構成とすることで、透明板ユニットの組み立てに必要な作業スペースを小さくすることができる。それは、枠部材に対して透明板を上方や側方からスライドさせて挿入するといった組み立て作業がなくなるからである。
【００２７】
また、（ｋ）の構成を採用するメリットとして、透明板ユニットの組み立てに当たって、透明板の縁に枠部材を嵌め込むという作業になるので、枠部材に多少の成形誤差があったとしても、枠部材を合成樹脂で成形すれば、合成樹脂の有する変形能力によって成形誤差を吸収して透明板の縁を枠部材の溝に嵌り込ませることができる点を上げることもできる。
【００２８】
さらに、組立て易いにも拘わらず、溝に嵌め込まれた透明板は、しっかりと枠部材に嵌合された状態となるので、透明板ユニット自体における透明板のガタツキを排除することができるというメリットもあげることができる。これは、（ｋ）の様な分割構造とすれば、枠部材に対して上方や側方からスライドさせて挿入する必要がないので、遊びのほとんどないものとして溝を構成することができるからである。
【００２９】
なお、本発明において「透明板」とは、ガラス板はもちろん、透明なプラスチック板も含むという意味である。
【発明の効果】
【００３０】
本発明によれば、ガラスユニットを押さえ付けてもガラス保持枠との間に隙間が生じないので、確実に不正行為を防ぐことができる。
【発明を実施するための最良の形態】
【００３１】
以下、本発明を具体化した一実施形態のパチンコ機を図１〜図１３に基づき詳細に説明する。なお本実施形態において「左」又は「右」とは、パチンコ機の表側（前面側）から見たときの「左」又は「右」を示すものとする。まず本実施形態のパチンコ機の基本的構成を説明する。 
【００３２】
図１，図２に示す様に、このパチンコ機１は機体の外郭をなす縦長方形の外枠Ａを備えている。外枠Ａの開口前面側には、図２，図３に示す様に、各種の遊技用構成部材をセットするための縦長方形の中枠（遊技盤保持枠）Ｂが着脱可能に組み付けられている。そして、この中枠（遊技盤保持枠）Ｂの前面側には、図１〜図３に示す様に、遊技盤Ｃの前方を覆うためのガラス板１４ａ，１４ｂを保持する前枠（透明板保持枠）Ｄが開閉可能に組み付けられている。また、図１，図２に示す様に、前枠（透明板保持枠）Ｄの下には、上の球受け皿Ｅが前枠（透明板保持枠）Ｄと同様に開閉可能な様に組み付けられている。さらに、中枠（遊技盤保持枠）Ｂの下部には、下の球受け皿Ｆ及び打球発射装置Ｇ等がセットされている。加えて、中枠（遊技盤保持枠）Ｂの裏側には、図３に示す様に、各種の球経路及び球処理・払出部等を備えたセット盤Ｈが取り付けられている。なお、図１の符号Ｊは球貸しシステムに利用されるカードユニットを、符号Ｋは前枠（透明板保持枠）Ｄを施錠するための鍵を示している。 
【００３３】
本実施形態のパチンコ機１の搭載枠とされる中枠（遊技盤保持枠）Ｂは、全体的に合成樹脂材料を用いて成形されたものである。図２，図３に示す様に、中枠（遊技盤保持枠）Ｂは、外枠Ａの前面に取り付けられる枠体２と、この枠体２から内側へ張り出す保持枠３とを一体成形した枠構造を有している。保持枠３は、遊技盤Ｃをセットし、保持するためのものである。枠体２は、外枠Ａの開口前面域に適合する外形サイズに成形されている。保持枠３は、遊技盤Ｃをはめ込むための縦長方形のセット口５を構成している。
【００３４】
セット盤Ｈは、図３に示す様に、その前面側に、遊技盤Ｃの裏面に設けられている「該遊技盤Ｃの表側から裏側に導出された遊技球が流下する球通路樋」を収容するための空所６を形成する。セット盤Ｈの裏面側には、制御基板等の電子部品が取り付けられる。
【００３５】
前枠（透明板保持枠）Ｄは、図２に示す様に、中枠（遊技盤保持枠）Ｂの前面側に、中枠（遊技盤保持枠）Ｂの左端をヒンジとして横開き可能に組み付けられる。前枠（透明板保持枠）Ｄは、図３に示す様に、前側板１１と、前側板１１の外周部分に後方へ伸びる様に連続形成された外側板１２と、外側板１２から所定距離内側において前側板１１の裏面に連続形成された内側板１３とを備え、合成樹脂にて一体成形されている。この内側板１３を位置決め支持するための部材として、前枠（透明板保持枠）Ｄには、ガラスユニットＧＵが取り付けられる。また、前枠（透明板保持枠）Ｄの上部には、図１，図３等に示す様に、前枠ランプ１６が、左右の部分には正面サイド飾り１７が、下側の部分には正面下部飾り１８が、それぞれ前側板１１の前面に取り付けられている。
【００３６】
遊技盤Ｃを構成する合板７の前面側には、図１〜図３に示す様に、障害釘２１、始動入賞口２２、図柄可変表示装置２３、大型装飾部品２４、特別入賞口２５、案内車２６、電飾装置２７、アウト口２８、普通入賞口２９、通過口３０等の部品が取り付けられている。なお、本実施形態では、前記部品のうち、障害釘２１を除く、始動入賞口２２、大型装飾部品２４、案内車２６、電飾装置２７、普通入賞口２９、通過口３０のような合板７の表面から突出しており、遊技球の流下軌道に影響を与える可能性のあるものを役物という。また、合板７の前面側には、これら障害釘２１や役物等を取り囲む様に誘導レール３１が取り付けられている。この誘導レール３１により、遊技盤Ｃの遊技領域が形成される。また、誘導レール３１の外側を取り囲む様に合成樹脂成型されたコーナー飾り４０が取り付けられている。遊技盤Ｃは、合板７のみではなく、これら障害釘２１や、役物、コーナー飾り４０などの部品が取り付けられた全体を意味する。
【００３７】
ガラスユニットＧＵは、図４に示す様に、２枚のガラス板１４ａ，１４ｂと、これらガラス板１４ａ，１４ｂの上下左右の縁を嵌合させる上枠５１、下枠５２、左枠５３及び右枠５４の４つの部品を組み立てたものとして構成されている。また、ガラス板１４ａ，１４ｂは、四角形の四隅を約３０度の角度で面取りした様な八角形を呈している。
【００３８】
ここで、左枠５３は、ガラス板１４ａ，１４ｂの「左側の縁」及び「左側上下の面取り部分の縁」を覆うと共に、さらに「上下の縁の内で左側上下面取り部分近傍の縁」の左端をも一部覆う様に構成されている。
【００３９】
また、右枠５４は、ガラス板１４ａ，１４ｂの「右側の縁」及び「右側上下の面取り部分の縁」を覆うと共に、さらに「上下の縁の内の右側上下面取り部分近傍の縁」の右端をも一部覆う様に構成されている。
【００４０】
さらに、上枠５１は、ガラス板１４ａ，１４ｂの「上側の縁の大部分（左枠５３及び右枠５４で覆われない部分）」を覆う様に構成されている。
【００４１】
加えて、下枠５２は、ガラス板１４ａ，１４ｂの「下側の縁の大部分（左枠５３及び右枠５４で覆われない部分）」を覆う様に構成されている。
【００４２】
これら四つの枠５１〜５４は、いずれも合成樹脂射出成形によって製造されている。そして、それぞれ、内側に二条のガラス板嵌合溝５５，５６が形成されている。これら四つの枠５１〜５４は、組み立てることによって、図５に示す様な矩形状の枠部材５０を構成する。このため、図４に示す様に、左枠５３及び右枠５４の上下の水平部分の外側には、枠部材嵌合用の溝５７と孔５８とが形成されている。上枠５１及び下枠５２の両端には、この枠部材嵌合用の溝５７及び孔５８に嵌合する枠部材嵌合用の突片５９及び突起６０が形成されている。各枠５１〜５４に形成されているガラス板嵌合溝５５，５６は、枠部材として組み立てたときにそれぞれが連続して枠部材５０の内側を一周する溝となる。
【００４３】
これら四つの枠５１〜５４は、最初に左右の枠５３，５４のどちらかあるいは両方を、そのガラス板嵌合溝５５，５６をガラス板１４ａ，１４ｂの縁に嵌合させて取り付け、その後、上下の枠５１，５２を、それらのガラス板嵌合溝５５，５６をガラス板１４ａ，１４ｂの縁に嵌合させつつ左右の枠５３，５４の嵌合用溝５７及び孔５８に突片５８及び突起６０を嵌合させることによって組み立てられて枠部材５０を構成する。これにより、本実施形態では、ガラス板１４ａ，１４ｂは、四つの枠５１〜５４を組み立ててなる合成樹脂製の枠部材５０によってしっかりと保持され、ユニット化され、ガラスユニットＧＵとなる。なお、ガラスユニットＧＵが透明板ユニットに相当する。
【００４４】
ガラス板１４ａ，１４ｂが枠部材５０によりユニット化された状態において、枠部材５０は、図６に示す様に、ガラス板１４ａの表面より表側に突出する様になっており、かつ、ガラス板１４ｂの裏面より裏側に突出する様になっている。つまり、突出している部分は、枠部材５０の内側に刻設されたガラス板嵌合溝５５，５６の外側の部分である。この突出した部分が突出部となる。なお、枠部材５０は、ガラス板１４ａ，１４ｂの周囲を全周に渡って取り囲む様になっているので、突出部も、ガラス板１４ａ，１４ｂの周縁の外側を全周に渡って連続する様になる。
【００４５】
ガラスユニットＧＵは、図３〜図６に示す様に、２枚のガラス板１４ａ，１４ｂが枠部材５０によって一体化されたものとして構成されている。そして、枠部材５０は、ガラス板１４ａ，１４ｂの周囲を全周に渡って取り囲む様に構成されている。また、枠部材５０の外周形状は、図５に明らかな様に、略矩形状とされている。さらに、枠部材５０は、その四隅の厚さを、ガラスユニットＧＵの最大厚さ（本実施形態では最大厚さは枠部材５０自身の厚さ）よりも薄くすることによって形成された保持部７０を備えている。保持部７０は、枠部材５０の四隅を薄くしたものなので、図５から明らかな様に、矩形の内部の位置に形成されることになる。また、保持部７０は、図６に示す様に、その裏面７１がガラスユニットＧＵの最も裏側の面よりも前方に位置する様に枠部材５０と一体に形成されている。
【００４６】
ここで、本実施形態で採用したガラスユニットＧＵは、図６に示す様に、保持部７０が、その厚さ寸法ｄ１が枠部材５０の最大厚さ寸法ｄ０の２分の１以下（本実施形態では約１／３）で、その前面が、枠部材５０の表面と面一となる様に設けられている。
【００４７】
さらに詳しくは、保持部７０は、三角形状を呈する平板７２と、この平板７２に立設されたリブ７３とによって構成されている。前述の「枠部材５０の表面と面一」というのは、このリブ７３の前面と枠部材５０の前面との関係を意味する。
【００４８】
また、リブ７３は、図４〜図６に示す様に、左枠５３及び右枠５４においてガラス板１４ａ，１４ｂの面取り部分を覆うために斜めに伸びている面取り覆い部５３ａ，５３ｂ，５４ａ，５４ｂの外面に連続して左右方向に真っ直ぐ伸びる各７本の直線状帯板として構成されている。つまり、リブ７３は、枠部材５０におけるガラス板１４ａ，１４ｂの周囲を全周に渡って取り囲む部分を構成している本体と連続する様になっている。
【００４９】
なお、平板７２及びリブ７３は、ほぼ同じ肉厚に設計されている。また、枠部材５０を構成する他の部分もまた、この平板７２及びリブ７３とほぼ同じ肉厚に設計されている。即ち、枠部材５０は、各部の断面を見たときに、各部において肉厚に大きな差が生じない様な形状に設計されているのである。
【００５０】
また、ガラスユニットＧＵは、縦（上下方向）の長さと、横（左右方向）の長さとが、寸法が異なっていることを目視によって認識できる様な縦横比の矩形状のものとして設計されている。
【００５１】
この様なガラスユニットＧＵを保持する前枠（透明板保持枠）Ｄは、図１，図７に示す様に、遊技盤Ｃの遊技領域を前方から視認可能な樽型の窓開口８１を有している。前枠（透明板保持枠）Ｄはまた、図３と共に説明した様に、前側板１１，外側板１２及び内側板１３を備えている。この内側板１３は、図７に示す様に、ガラスユニットＧＵを、窓開口８１の裏側に位置決め支持するための位置決め枠８２を構成する。さらに、位置決め枠８２の上側、下側、左側及び右側に対応する部分が、上側位置決め片、下側位置決め片、左側位置決め片及び右側位置決め片となる。そして、位置決め枠８２（内側板１３）は、図８に示す様に、矩形状の枠として構成されており、ガラスユニットＧＵが前枠（透明板保持枠）Ｄに保持された状態において、該ガラスユニットＧＵの外周縁に沿うように形成されている。また、位置決め枠８２の下側部分である下側位置決め片は、ガラスユニットＧＵを下方から支持するための支持台としても機能する。この位置決め枠８２を構成する内側板１３の後方への突出量（以下、「高さ」という。）は、図３，図１０，図１３に示す様に、ガラスユニットＧＵの枠部材５０の厚さの６〜７割程度に設計されている。なお、位置決め枠８２の四隅については、図７〜図１０に示す様に、内側板１３の高さを低くした窪み部分８３が形成されている。
【００５２】
この窪み部分８３には、図７〜図１１に示す様に、位置決め枠８２で位置決めされたガラスユニットＧＵを裏面から押さえ付けるロック部材９１が回動可能に備えられている。このロック部材９１は、ガラスユニットＧＵを構成する枠部材５０の保持部７０を裏面から押さえ付けるユニット係合部９２を先端に備えたレバー状のものである。また、ロック部材９１は、図１２に示す様に、保持部７０と係合したときにガラスユニットＧＵの裏面よりも裏に飛び出さない厚さとされており、該ロック部材９１の後端面が、ガラスユニットＧＵの後端面よりも寸法ｄ３だけ前方に位置するように構成されている。なお、図１２における厚さ寸法ｄは、前枠（透明板保持枠）Ｄの前側板１１の前端面からガラスユニットＧＵの後端面までの寸法であり、前枠（透明板保持枠）Ｄ全体の奥行き寸法でもある。
【００５３】
このロック部材９１は、保持部７０の裏面７１と平行な面内を回動可能に前枠（透明板保持枠）Ｄの位置決め枠８２の窪み部分８３に取り付けられている。そして、ロック部材９１は、枠部材５０の外側から内側に向かって回動させることで、ユニット係合部９２で保持部７０を裏面から前枠（透明板保持枠）Ｄに向かって押さえ付け得る様に構成されている。
【００５４】
また、ロック部材９１は、回動中心９３からユニット係合部９２の反対側に伸びる突起９４を備えている。この突起９４は、ユニット係合部９２がガラスユニットＧＵの保持部７０と係合したときに、位置決め枠８２の窪み部分８３に当接する保持枠当接部を構成するものである。この突起９４とユニット係合部９２とにより、ロック部材９１は、図１０に示す様に、ガラスユニットＧＵの保持部７０を裏面から押さえ付けると同時に、位置決め枠８２の窪み部分８３を介して前枠（透明板保持枠）Ｄの裏面をも押さえ付ける役割を果たしている。つまり、ロック部材９１は、回動中心９３を支点として、ユニット係合部９２及び突起９４が作用点及び力点となるテコの原理によって、ガラスユニットＧＵの保持部７０を裏面から押さえ付ける様になっている。
【００５５】
そして、ガラスユニットＧＵをロック部材９１で固定した状態において、該ガラスユニットＧＵの枠部材５１の前端面が、前枠（透明板保持枠）Ｄの前側板１１の裏面と当接する様になる。すなわち、ガラス板１４ａの表面より表側に突出した部分である突出部が、前枠（透明板保持枠）Ｄの裏面と当接する。また、枠部材５０は、図５に示す様に、ガラス板１４ａ，１４ｂの外周を取り囲んでいる。従って、ガラスユニットＧＵの枠部材５０の前面と前枠（透明板保持枠）Ｄの前側板１１の裏面との当接は、窓開口８１の周囲を周方向に連続して全周に渡って当接した状態となる。
【００５６】
前枠（透明板保持枠）Ｄは、合成樹脂成形によって製造された薄板構造のものとなっており、該前枠（透明板保持枠）Ｄの前側板１１は、図７，図８に示す様に、全体として幅の狭い枠を構成している。そのため、前枠（透明板保持枠）Ｄの裏面には、枠状の補強用金属部材１０１が取り付けられる。この補強用金属部材１０１は、前枠（透明板保持枠）Ｄの裏面における、上側の部分に位置する上側補強部分１２０と、下側の部分に位置する下側補強部分１３０と、ヒンジ部側の部分に位置するヒンジ側補強部分１０５と、ヒンジ部側とは反対側にある鍵側の部分に位置する鍵側補強部分１１０とで構成されており、各補強部分１０５，１１０，１２０，１３０を溶接して組み立てたもので、前枠（透明板保持枠）Ｄの窓開口８１の周囲を取り囲む様に、位置決め枠（内側板１３）のすぐ外側に取り付けられる。なお、各補強部分１０５，１１０，１２０，１３０は、薄肉鋼板をプレス成形した部品である。
【００５７】
この補強用金属部材１０１を裏から見たときの右側（表から見て左側）に位置するヒンジ側補強部分１０５は、前枠（透明板保持枠）Ｄのヒンジ部を構成する部分である。従って、図１０に示す様に、ヒンジ側補強部分１０５の上部にはヒンジ用の支持軸１０７が取り付けられている。また、図示しないが、ヒンジ側補強部分１０５の下部にはヒンジ用の支持孔が形成されており、該支持孔に、中枠（遊技盤保持枠）Ｂに立設された支持軸を挿入する様になっている。この支持軸１０７及び支持孔を回転支軸として、前枠（透明板保持枠）Ｄは、中枠（遊技盤保持枠）Ｂに対して開閉可能となり、該前枠（透明板保持枠）Ｄを閉じた際には、ヒンジ部とは反対側にある鍵Ｋにより施錠される。
【００５８】
また、補強用金属部材１０１の鍵側（表から見て右側）に位置する鍵側補強部分１１０は、図１３（Ａ）に示す様に、前枠（透明板保持枠）Ｄの前側板１１に平行な第１平面部１１１と、前枠（透明板保持枠）Ｄの外側板１２に平行な第２平面部１１２と、前枠（透明板保持枠）Ｄに形成された内側板１３（位置決め枠８２）に平行な第３平面部１１３と、前枠（透明板保持枠）Ｄの前側板１１に平行で第１平面部１１１に対して後方へずれて位置する第４平面部１１４と、前枠（透明板保持枠）Ｄの外側板１２に平行で第２平面部１１２と第３平面部１１３との間に位置する第５平面部１１５とから構成され、４箇所で折り曲げられたクランク状の断面形状を有している。なお、この鍵側補強部分１１０を構成する各平面部１１１〜１１５の位置関係を詳しく述べると、第３平面部１１３の前端に第１平面部１１１の左端が連続し、第１平面部１１１の右端に第５平面部１１５の前端が連続し、第５平面部１１５の後端に第４平面部１１４の左端が連続し、第４平面部１１４の右端に第１平面部１１１の後端が連続することにより、第２平面部１１２と第３平面部１１３とは、第１平面部１１１を介して連設されたものとなっている。
【００５９】
また、この鍵側補強部分１１０は、第３平面部１１３が内側板１３の外面に接触し、第１平面部１１１が前側板１１の裏面に接触し、第４平面部１１４が、前側板１１から立設されたネジ止め用ボス１５の後端面に接触し、第２平面部１１２の前端が前側板１１の裏面に接触する様に、ネジ止めによって前枠（透明板保持枠）Ｄに取り付け固定される。なお、前枠（透明板保持枠）Ｄの上側のフレーム部分及び左右のフレーム部分には、ボス１５とボス１５の間を連絡する様に、ボス１５と同じ高さのリブ１５ａが設けられている。
【００６０】
補強用金属部材１０１の上側に位置する上側補強部分１２０は、図１３（Ｂ）に示す様に、鍵側補強部分１１０と同様に、前側板１１に平行な第１平面部１２１と、外側板１２に平行な第２平面部１２２と、内側板１３に平行な第３平面部１２３と、前側板１１に平行で第１平面部１２１に対して後方へずれて位置する第４平面部１２４と、外側板１２に平行で第２平面部１２２と第３平面部１２３との間に位置する第５平面部１２５とから構成され、４箇所で折り曲げられたクランク状の断面形状を有している。
【００６１】
この上側補強部分１２０においても、第３平面部１２３が内側板１３の外面に接触し、第１平面部１２１が前側板１１の裏面に接触し、第４平面部１２４が、前側板１１から立設されたネジ止め用ボス１５の後端面に接触し、第２平面部１２２の前端が前側板１１の裏面に接触する様に、ネジ止めによって前枠（透明板保持枠）Ｄに取り付け固定される。
【００６２】
なお、補強用金属部材１０１の下側に位置する下側補強部分１３０は、図１３（Ｃ）に示す様に、金属板を２箇所で折り曲げてコの字状断面としたものであって、前枠（透明板保持枠）Ｄの前側板１１に平行な第１平面部１３１と、前枠（透明板保持枠）Ｄの内側板１３（位置決め枠８２）に平行な第２平面部１３２及び第３平面部１３３とからなる。
【００６３】
この下側補強部分１３０は、その第３平面部１３３が内側板１３の外面に接触し、第１平面部１３１が前側板１１の裏面に接触した状態で、前枠（透明板保持枠）Ｄにネジ止めによって取り付け固定される。そして、下側補強部分１３０は、位置決め枠８２（内側板１３）の下側部分である下側位置決め片をも補強する様になっている。なお、前枠（透明板保持枠）Ｄの下端には、外側板１２は形成されていない。また、前側板１１の前面に取り付けられた正面下部飾り１８の裏側には、ネジ止め用のネジ孔が形成されている。
【００６４】
なお、ヒンジ側補強部分１０５は、鍵側補強部分１１０や上側補強部分１２０と同様に、前側板１１に平行な第１平面部と、外側板１２に平行な第２平面部と、内側板１３に平行な第３平面部と、前側板１１に平行で第１平面部に対して後方へずれて位置する第４平面部と、外側板１２に平行で第２平面部と第３平面部との間に位置する第５平面部とから構成され、４箇所で折り曲げられたクランク状の断面形状を有している。
【００６５】
また、この補強用金属部材１０１は、前枠（透明板保持枠）Ｄを閉じた状態において、図３，図１１に示す様に、鍵側補強部分１１０及び上側補強部分１２０の第４平面部１１４，１２４の背面が、中枠（遊技盤保持枠）Ｂの前面に対して接触した状態となる様に構成されている。従って、第２平面部１１２，１２２の後端が、中枠（遊技盤保持枠）Ｂの前面に対して接触した状態となっていることにもなる。
【００６６】
一方、中枠（遊技盤保持枠）Ｂの上側と鍵側の前面には、図２，図３，図１１に示した様に、帯状突片１５１が、中枠（遊技盤保持枠）Ｂの外周近傍位置において外周に沿って突設されている。この帯状突片１５１は、図３，図１１に示す様に、前枠（透明板保持枠）Ｄを閉じたとき、前枠（透明板保持枠）Ｄの外側板１２と、鍵側補強部分１１０及び上側補強部分１２０の第２平面部１１２，１２２との間に形成される突片収容空間１５５内に収容された状態となる。この状態において、帯状突片１５１が、外側板１２及び第２平面部１１２，１２２と重なり合う様になっている。
【００６７】
そして、前枠（透明板保持枠）Ｄを閉じたとき、ガラスユニットＧＵは、図３，図１１に示す様に、枠部材５０の裏端面が遊技盤Ｃに取り付けられたコーナー飾り４０の前面に当接した状態となる。すなわち、ガラス板１４ｂの裏面より裏側に突出した部分である突出部が、遊技盤Ｃの表面と当接する。また、前述した様に、ガラスユニットＧＵがロック部材９１で固定された状態において、該ガラスユニットＧＵの枠部材５０の前端面は、前枠（透明板保持枠）Ｄの裏面に当接している。従って、前枠（透明板保持枠）Ｄを閉じたときには、枠部材５０の前端面が前枠（透明板保持枠）Ｄの前側板１１の裏面に当接すると共に、枠部材５０の裏面がコーナー飾り４０の前面に当接した状態となる。コーナー飾り４０は、遊技盤Ｃを構成する部品であるから、枠部材５０の裏面は、遊技盤Ｃの前面に当接していることになる。
【００６８】
また、枠部材５０は、図５に示した様に、ガラス板１４ａ，１４ｂの外周を取り囲んでいる。そして、コーナー飾り４０は、遊技領域をほぼ全周に渡って取り囲む構成となっている。従って、ガラスユニットＧＵの枠部材５０の裏面と遊技盤Ｃ（コーナー飾り４０）の前面との当接は、ほぼ全周に渡って連続して当接した状態となる。
【００６９】
以上の様に構成した結果、本実施形態によれば、以下の様な種々の作用・効果が発揮される。
【００７０】
ガラスユニットＧＵを構成する枠部材５０を図６（Ｅ）に示した様に、２条のガラス板嵌合溝５５，５６を備えた断面Ｅ字状にした結果、ガラス板１４ａ，１４ｂが前枠（透明板保持枠）Ｄや遊技盤Ｃに直接接触することがない。よって、ガラス板１４ａ，１４ｂを傷つけることがない。
【００７１】
また、枠部材５０の方が前側のガラス板１４ａよりも前方へ突出していることから、前枠（透明板保持枠）ＤとガラスユニットＧＵとの当接は、枠部材５０の前面により、窓開口８１の全周に渡って周方向に連続したものとなる。よって、ガラス板１４ａに沿ってピアノ線を挿入しようとしても枠部材５０の前方への突出部分が障壁となり、かかる不正行為を防止する。さらに、この様な不正行為を働こうとする者が、ガラスユニットＧＵを押し込んで枠部材５０と前側板１１との間に隙間を形成しようとしても、前枠（透明板保持枠）Ｄを閉じた状態では、枠部材５０の後方への突出部分が遊技盤Ｃのコーナー飾り４０の前面に当接しているため、押し込みによる隙間を形成することができない。
【００７２】
また、枠部材５０、前枠（透明板保持枠）Ｄ及びコーナー飾り４０はいずれも合成樹脂成型品なので、上述の当接状態は、これら合成樹脂製部品の圧縮変形能力により、密着性の高いものとなっている。従って、前枠（透明板保持枠）Ｄに対するガラスユニットＧＵの組み付け誤差や、中枠（遊技盤保持枠）Ｂに対する遊技盤Ｃの組み付け誤差が多少あったとしても、高い密着性を実現することが可能である。
【００７３】
さらに、枠部材５０と遊技盤Ｃとの当接は、点接触ではなく、遊技領域のほぼ全周に渡る連続的な線接触となっているので、ガラスユニットＧＵが押し込み操作によって部分的に反るということもない。よって、反りによる隙間も形成されることがない。
【００７４】
枠部材５０は、上下左右の部品５１〜５４を組み立てて矩形状の枠を形成する様に構成したので、ガラスユニットＧＵの組立は、ガラス板１４ａ，１４ｂの上下左右の縁に所定の順番で部品をはめ込むという作業で完了することができるので、ガラスユニットＧＵの組立が容易である。また、組み立てに当たって必要な作業スペースを小さくすることもできる。
【００７５】
また、合成樹脂製の部品５１〜５４をガラス板１４ａ，１４ｂの縁に嵌め込んで組み立てる構成を採用した結果、枠部材５０側に多少の成形誤差があったとしても、組み立て困難にならないという効果もある。さらに、組立て易いにも拘わらず、溝に嵌め込まれたガラス板１４ａ，１４ｂは、しっかりと枠部材５０に嵌合された状態となるので、ガラスユニットＧＵ自体におけるガラス板１４ａ，１４ｂのガタツキを排除することができるというメリットもある。
【００７６】
また、不正防止という点では、本実施形態が採用した次の構成も効果を発揮している。即ち、中枠（遊技盤保持枠）Ｂの前面の外周近傍位置に、中枠（遊技盤保持枠）Ｂの外周に沿って突出する帯状突片１５１を設け、補強用金属部材１０１の第２平面１１２，１２２と前枠（透明板保持枠）Ｄの外側板１２との間に、帯状突片１５１を収容可能な突片収容空間１５５を設けたので、前枠（透明板保持枠）Ｄを閉じたとき、図３，図１１に示した様に、帯状突片１５１が、突片収容空間１５５内において、前枠（透明板保持枠）Ｄの外側板１２及び補強用金属部材１０１の第２平面部１１２，１２２と重なった状態となる構成である。かかる構成により、不正行為者が、前枠（透明板保持枠）Ｄの上側や鍵側に対するこじ開け操作によって前枠（透明板保持枠）Ｄの外側板１２の後端に隙間を形成してピアノ線を挿入しようとしても、ピアノ線は突片収容空間１５５内で帯状突片１５１に衝突し、真っ直ぐに挿入することができない。また、内部は迷路の様な構造になる結果、仮に、帯状突片１５１を乗り越えたとしても、補強用金属部材１０１の第２平面部１１２，１２２によってこれを阻止することができるという効果が発揮される。
【００７７】
また、本実施形態では、補強用金属部材１０１を取り付けた前枠（透明板保持枠）Ｄは、窓開口８１を大きなものとしても強度（剛性）が低下しないという補強効果自体があることはもちろんである。かかる補強効果という点では、ヒンジ側補強部分１０５、鍵側補強部分１１０及び上側補強部分１２０を４箇所で金属板を折り曲げたクランク状断面とし、下側補強部分１３０を２箇所で金属板を折り曲げたコの字状断面としたことで、金具自体の剛性を増している点も本実施形態の特徴ということができる。
【００７８】
さらに、窓開口８１を大きくすることで、ガラスユニットＧＵを構成するガラス板１４ａ，１４ｂが大型化し、その結果、ユニットの重量増加を招いたとしても、位置決め枠８２は、補強用金属部材１０１の第３平面部１１３，１２３，１３３によって補強されているので、ガラスユニットＧＵを支持するための支持台として十分な強度を発揮させることができている。
【００７９】
また、本実施形態は、前枠（透明板保持枠）Ｄを閉じた状態のときに、補強用金属部材１０１の第２平面部１１２，１２２の後端が、中枠（遊技盤保持枠）Ｂの前面の外周近傍に対して当接した状態となっているので、前枠（透明板保持枠）Ｄの上側や鍵側に手を掛けて縁をこじ開けようとすると、前側板１１の反りが第２平面部１１２，１２２の後端を中枠（遊技盤保持枠）Ｂの前面に強く押し付けることとなり、こじ開け動作を制限するという作用が発揮される。また、第２平面部１１２，１２２と中枠（遊技盤保持枠）Ｂの前面とが当接していることにより、ピアノ線が上述した迷路の様な突片収容空間１５５を仮に通過できたとしても、この第２平面部１１２，１２２と中枠（遊技盤保持枠）Ｂの前面との接触により、遊技領域内へピアノ線が侵入することはできない。
【００８０】
また、本実施形態は、こうした不正防止効果だけでなく、遊技機の奥行きを大きくすることなくガラス板１４ａ，１４ｂのユニット化を実現している点にも特徴がある。さらに、ガラスユニットＧＵが、運搬等の取扱いの便利なものになっている点も特徴である。
【００８１】
これは、一つには、ガラスユニットＧＵの構成として、ガラス板１４ａ，１４ｂの周囲を全周に渡って取り囲んでいる矩形状の枠部材５０の四隅の厚さを薄くして矩形の内側に保持部７０を形成した結果である。かかる構成の採用により、ガラスユニットＧＵの運搬の際や、遊技機１に取り付ける際に、保持部７０が折れたりひっかかったりするといった問題をなくしている。また、枠部材５０を矩形状の外周形状としたので、ガラスユニットＧＵを立てて保管する際に場所をとったりもしない。従って、本実施形態によれば、ガラスユニットＧＵの運搬、保管、取り付けといった各種の作業における取り扱いが容易であるという作用・効果が発揮される。
【００８２】
また、図１２に示した様に、保持部７０を枠部材５０の前面と面一とすることで、ロック部材９１の後方への飛び出しをなくし、前枠（透明板保持枠）Ｄの前側板１１の前面から前枠（透明板保持枠）Ｄの最背面（ガラスユニットＧＵの後端面）までの奥行き寸法ｄを小さくすることができている。これにより、ガラス板１４ａ，１４ｂのユニット化によって遊技機１の奥行き寸法が大きくなるのを防いでいる。
【００８３】
さらに、枠部材５０に形成した保持部７０を、平板７２と、平板７２の前面に立設されたリブ７３とによって構成したので、枠部材５０を、各部の肉厚に大きな差のないほぼ同様の肉厚からなる薄肉構造体とすることができ、射出成形における良好な樹脂の流れを実現し、巣の発生や熱収縮による変形等を生じないという作用・効果が発揮される。また、各部は薄肉構造体となっているにも拘わらず、保持部７０としてはある程度の厚さを有し、リブ７３による補強のなされたものとすることができ、ロック部材９１で押さえ付けたときに十分な保持力を発生させるという作用・効果も達成している。
【００８４】
また、本実施形態では、リブ７３を、左枠５３及び右枠５４においてガラス板１４ａ，１４ｂの面取り部分を覆うために斜めに伸びている面取り覆い部５３ａ，５３ｂ，５４ａ，５４ｂの外面に連続して左右方向に真っ直ぐ伸びる直線状帯板として構成したので、リブ７３は枠部材５０の本体によって補強されることとなる。また、本実施形態では、リブ７３の端部と枠部材５０の本体とが連続した形状とされているので、射出成形用金型の構造を簡単にするという効果も発揮される。
【００８５】
加えて、リブ７３は全て同じ方向に伸びているので、ガラスユニットＧＵを取り付ける際などに、縦横を容易に判断することができるという効果もある。なお、この点については、本実施形態では、ガラスユニットＧＵの縦横の長さを目視によって差が分かる程度に異ならせているので、これによっても縦横を判断する際の利便性が向上している。
【００８６】
また、本実施形態では、保持部７０を三角形状とすると共に、ガラス板１４ａ，１４ｂを八角形状としたので、略矩形状とした枠部材５０の矩形の内部に、ある程度大きな面積を持たせた保持部７０を備えることができている。これにより、特に、パチンコ機では、円形の遊技領域が構成されることから、八角形状のガラス板１４ａ，１４ｂを採用することで、遊技領域を圧迫することなく、矩形内部に位置する保持部７０を確保することができるという作用・効果も発揮される。
【００８７】
この様に、本実施形態によれば、組み立て作業等における取り扱いが容易であり、かつ、遊技機全体の奥行き寸法が大きくならない様なガラスユニットＧＵの提供を実現している。この奥行き寸法の大型化防止という点では、本実施形態が採用した次の構成も有効なものとなっている。
【００８８】
それは、本実施形態では、枠部材５０を、ガラス板１４ａ，１４ｂの周囲を全周に渡って取り囲む矩形状に構成し、図６に示した様に、この矩形の四隅の厚さ寸法ｄ１を枠部材５０の最大厚さ寸法ｄ０よりも薄くすることによって、矩形の内部の位置でロック部材９１のユニット係合部９２と係合し得る様に保持部７０を形成し、特に、この保持部７０を枠部材５０の前面と面一となる様に前面側に設け、図１２に示した様に、ロック部材９１の厚さを、該ロック部材９１で固定された状態のガラスユニットＧＵの後端面よりも寸法ｄ３だけ前方に位置する様な厚さとした点である。
【００８９】
また、本実施形態によれば、ロック部材９１に、ユニット係合部９２に対して回動中心９３の反対側に突出する突起９４を備えさせ、ガラスユニットＧＵにロック部材９１のユニット係合部９２を係合させると同時に、突起９４を前枠（透明板保持枠）Ｄの位置決め枠８２の窪み８３の部分に係合させる様にしたので、ロック部材９１によるガラスユニットＧＵの保持力を高くすることができている。
【００９０】
また、位置決め枠８２の下側部分は、ガラスユニットＧＵを前枠（透明板保持枠）Ｄに嵌め込む際に一時的に置くための置き台としても機能し、ガラスユニットＧＵの嵌め込み作業を容易にしている。
【００９１】
以上、発明を実施するための最良の形態としての一実施形態を説明したが、本発明は、これに限定されるものではなく、その要旨を逸脱しない範囲内における種々の変更が可能である。
【図面の簡単な説明】
【００９２】
【図１】実施形態のパチンコ機の正面図である。
【図２】実施形態のパチンコ機の前枠（透明板保持枠）を開いた状態の正面図である。
【図３】実施形態のパチンコ機の拡大断面図であって、（Ａ）は上部の縦断面を、（Ｂ）は鍵側の水平断面を示している。
【図４】実施形態のパチンコ機に装着されるガラスユニットの分解斜視図である。
【図５】実施形態のパチンコ機に装着されるガラスユニットの組み立て状態を示し、（Ａ）は正面図、（Ｂ）は背面図である。
【図６】実施形態のパチンコ機に装着されるガラスユニットの組み立て状態を示し、（Ａ）上部の拡大右側面図、（Ｂ）は上部の拡大断面図である。
【図７】実施形態のパチンコ機の前枠（透明板保持枠）の分解斜視図である。
【図８】実施形態のパチンコ機の前枠（透明板保持枠）を示し、（Ａ）は背面図、（Ｂ）は正面図である。
【図９】実施形態のパチンコ機の前枠（透明板保持枠）とガラスユニットを分解した状態の背面上方から見た斜視図である。
【図１０】実施形態のパチンコ機の前枠（透明板保持枠）にガラスユニットを取り付けた状態の背面上方から見た斜視図である。
【図１１】実施形態のパチンコ機の断面図であって、（Ａ）は図３（Ａ）の要部の拡大断面図、（Ｂ）は図３（Ｂ）の要部の拡大断面図である。
【図１２】実施形態のパチンコ機の前枠（透明板保持枠）にガラスユニットを取り付けた状態を示し、（Ａ）は平面図、（Ｂ）は右側面図である。
【図１３】実施形態のパチンコ機の前枠（透明板保持枠）の拡大断面図であって、（Ａ）は鍵側の水平断面、（Ｂ）は上部の縦断面、（Ｃ）は下部の縦断面を示している。
【符号の説明】
【００９３】
１・・・パチンコ機
２・・・枠体
３・・・保持枠
５・・・セット口
６・・・空所
７・・・合板
１１・・・前側板
１２・・・外側板
１３・・・内側板
１４ａ，１４ｂ・・・ガラス板
１５・・・ボス
１５ａ・・・リブ
１６・・・前枠ランプ
１７・・・正面サイド飾り
１８・・・正面下部飾り
２１・・・障害釘
２２・・・始動入賞口
２３・・・図柄可変表示装置
２４・・・大型装飾部品
２５・・・特別入賞口
２６・・・案内車
２７・・・電飾装置
２８・・・アウト口
２９・・・普通入賞口
３０・・・通過口
３１・・・誘導レール
４０・・・コーナー飾り
５０・・・枠部材
５１・・・上枠
５２・・・下枠
５３・・・左枠
５３ａ，５３ｂ・・・面取り覆い部
５４・・・右枠
５４ａ，５４ｂ・・・面取り覆い部
５５，５６・・・ガラス板嵌合溝
５７・・・枠部材嵌合用の溝
５８・・・枠部材嵌合用の孔
５９・・・枠部材嵌合用の突片
６０・・・枠部材嵌合用の突起
７０・・・保持部
７１・・・保持部の裏面
７２・・・平板
７３・・・リブ
８１・・・窓開口
８２・・・位置決め枠
８３・・・窪み部分
９１・・・ロック部材
９２・・・ユニット係合部
９３・・・回動中心
９４・・・突起
１０１・・・補強用金属部材
１０５・・・ヒンジ側補強部分
１０７・・・ヒンジ用の支持軸
１１０・・・鍵側補強部分
１１１・・・第１平面部
１１２・・・第２平面部
１１３・・・第３平面部
１１４・・・第４平面部
１１５・・・第５平面部
１２０・・・上側補強部分
１２１・・・第１平面部
１２２・・・第２平面部
１２３・・・第３平面部
１２４・・・第４平面部
１２５・・・第５平面部
１３０・・・下側補強部分
１３１・・・第１平面部
１３２・・・第２平面部
１３３・・・第３平面部
１５１・・・帯状突片
１５５・・・突片収容空間
Ａ・・・外枠
Ｂ・・・中枠（遊技盤保持枠）
Ｃ・・・遊技盤
Ｄ・・・前枠（透明板保持枠）
Ｅ・・・上の球受け皿
Ｆ・・・下の球受け皿
Ｇ・・・打球発射装置
Ｈ・・・セット盤
Ｊ・・・カードユニット
Ｋ・・・鍵
ＧＵ・・・ガラスユニット
【図１】
2005296347.tif 000003
【図２】
2005296347.tif 000004
【図３】
2005296347.tif 000005
【図４】
2005296347.tif 000006
【図５】
2005296347.tif 000007
【図６】
2005296347.tif 000008
【図７】
2005296347.tif 000009
【図８】
2005296347.tif 000010
【図９】
2005296347.tif 000011
【図１０】
2005296347.tif 000012
【図１１】
2005296347.tif 000013
【図１２】
2005296347.tif 000014
【図１３】
2005296347.tif 000015